(57)【要約】      （修正有）【課題】コンタクトセンターシステムにおける行動ペアリングのための技法を提供する。【解決手段】技法は、１つ以上のコンタクトを順序付けることと、１人以上のエージェントを順序付けることと、第１のペアにおける第１のコンタクトと第１のエージェントと間の順序付けにおける第１の差を、第２のペアにおける第２のコンタクトと第２のエージェントとの間の順序付けにおける第２の差と比較することと、比較することに基づいて、接続のために第１のペアまたは第２のペアを選択することとを含むコンタクトセンターにおけるペアリングのための方法として実現され、第１のコンタクトと第２のコンタクトとが異なるか、または第１のエージェントおよび第２のエージェントが異なる。【選択図】図６
2020145677.tif 000002
【特許請求の範囲】
【請求項１】
コンタクトセンターシステムにおけるペアリングのための方法であって、前記方法は、
前記コンタクトセンターシステムにおいて、複数のコンタクトに対応する複数のコンタクトタイプについての情報に基づいたコンピュータプロセッサ生成のモデルに従って、第１のスキルについてのスキル待ち行列内の前記複数のコンタクトを順位付けることであって、前記複数のコンタクトの各々は、前記コンタクトセンターシステムにおける前記第１のスキルを有する複数のエージェントのうちの１つへの接続を待っている、ことと、
前記コンピュータプロセッサ生成のモデルに従って前記複数のエージェントを順位付けることであって、前記複数のエージェントは、第１のエージェントを含む、ことと、
前記コンタクトセンターシステムに通信可能に結合されかつ前記コンタクトセンターシステムにおいて動作するように構成される少なくとも１つのコンピュータプロセッサによって、前記コンタクトおよびエージェントの順位付けをパーセンタイル化することであって、前記コンタクトの順位付けは、パーセンタイル範囲として表現され、前記エージェントの順位付けは、パーセンタイル範囲として表現される、ことと、
前記少なくとも１つのコンピュータプロセッサによって、対角線方策に従って、前記順位付けおよび前記対角線方策に起因する前記コンタクトセンターシステムの実績を最適化するように、前記コンタクトセンターシステムにおける前記第１のスキルを有する前記複数のエージェントのうちの前記第１のエージェントへの接続のために前記複数のコンタクトのうちの第１のコンタクトを選択することであって、前記対角線方策は、適用されると、前記順位付けられたコンタクトの各パーセンタイル範囲を前記順位付けられたエージェントの対応するパーセンタイル範囲と等しくなるようにする方策である、ことと、
前記少なくとも１つのコンピュータプロセッサによって、前記コンタクトセンターシステムにおける前記第１のエージェントへの接続のための前記第１のコンタクトの選択を出力することと、
前記少なくとも１つのコンピュータプロセッサによって、前記コンタクトセンターシステムのスイッチモジュールにおいて、前記出力された選択に従って、前記第１のコンタクトの通信機器と、前記第１のエージェントの通信機器との間の通信チャネルを確立することと
を含み、前記対角線方策を使用して選択される前記第１のコンタクトは、
前記コンタクトセンターシステムにおける待ち行列の先頭におけるコンタクト、
最長待ちコンタクト、
最優先コンタクト、および
ランダムに選択されたコンタクト
のうちのいずれでもなく、
前記第１のコンタクトと前記第１のエージェントとの間の順位付けにおける第１の絶対差は、前記第１のコンタクトと前記複数のエージェントの各々との間の順位付けにおける絶対差のうち、順位付けにおける最小の絶対差であり、前記少なくとも１つのコンピュータプロセッサが、前記対角線方策に従って選択されるすべてのコンタクト−エージェントペアリングの集約される利益が、ＦＩＦＯ方策およびＰＢＲ方策に従って選択されるすべてのコンタクト−エージェントペアリングの対応する集約される利益を超えるように、潜在的な後続のコンタクト−エージェントペアリングを考慮することによって、前記対角線方策に従って、コンタクトのスコアとエージェントのスコアとの間に最小の絶対差を伴うコンタクト−エージェントペアリングを選択する、方法。
【請求項２】
前記複数のエージェントのうちの前記第１のエージェントを順位付けることと、
前記少なくとも１つのコンピュータプロセッサによって、第１のペアにおける前記第１のコンタクトと前記第１のエージェントとの間の順位付けにおける第１の差を、第２のペアにおける前記複数のコンタクトのうちの第２のコンタクトと前記第１のエージェントとの間の順位付けにおける第２の差と比較することと
をさらに含む、請求項１に記載の方法。
【請求項３】
前記複数のエージェントのうちの前記第１のエージェントを順位付けることと、
前記少なくとも１つのコンピュータプロセッサによって、前記複数のコンタクトおよび前記第１のエージェントの前記順位付けに対して前記対角線方策を適用することと
をさらに含む、請求項１に記載の方法。
【請求項４】
前記第１のコンタクトおよび前記第１のエージェントの第１のペアについて予期されるその時点の結果は、前記複数のコンタクトのうちの第２のコンタクトおよび前記第１のエージェントの第２のペアについて予期されるその時点の結果よりも悪い、請求項１に記載の方法。
【請求項５】
前記第１のコンタクトよりも上位に順位付けられている前記複数のコンタクトのうちのコンタクトは、後のエージェントへの割り当てのために利用可能なままである、請求項１に記載の方法。
【請求項６】
前記方法は、前記少なくとも１つのコンピュータプロセッサによって、前記対角線方策を使用してバランスのとれたコンタクト利用を標的とすることをさらに含む、請求項１に記載の方法。
【請求項７】
コンタクトセンターシステムにおけるペアリングのためのシステムであって、前記システムは、
前記コンタクトセンターシステムに通信可能に結合されかつ前記コンタクトセンターシステムにおいて動作するように構成される少なくとも１つのコンピュータプロセッサを備え、前記少なくとも１つのコンピュータプロセッサは、
前記コンタクトセンターシステムにおいて、複数のコンタクトに対応する複数のコンタクトタイプについての情報に基づいたコンピュータプロセッサ生成のモデルに従って、第１のスキルについてのスキル待ち行列内の前記複数のコンタクトを順位付けることであって、前記複数のコンタクトの各々は、前記コンタクトセンターシステムにおける前記第１のスキルを有する複数のエージェントのうちの１つへの接続を待っている、ことと、
前記コンピュータプロセッサ生成のモデルに従って前記複数のエージェントを順位付けることであって、前記複数のエージェントは、第１のエージェントを含む、ことと、
前記コンタクトおよびエージェントの順位付けをパーセンタイル化することであって、前記コンタクトの順位付けは、パーセンタイル範囲として表現され、前記エージェントの順位付けは、パーセンタイル範囲として表現される、ことと、
対角線方策に従って、前記順位付けおよび前記対角線方策に起因する前記コンタクトセンターシステムの実績を最適化するように、前記コンタクトセンターシステムにおける前記第１のスキルを有する前記複数のエージェントのうちの前記第１のエージェントへの接続のために前記複数のコンタクトのうちの第１のコンタクトを選択することであって、前記対角線方策は、適用されると、前記順位付けられたコンタクトの各パーセンタイル範囲を前記順位付けられたエージェントの対応するパーセンタイル範囲と等しくなるようにする方策である、ことと、
前記コンタクトセンターシステムにおける前記第１のエージェントへの接続のための前記第１のコンタクトの選択を出力することと、
前記コンタクトセンターシステムのスイッチモジュールにおいて、前記出力された選択に従って、前記第１のコンタクトの通信機器と、前記第１のエージェントの通信機器との間の通信チャネルを確立することと
を行うように構成され、前記対角線方策を使用して選択される前記第１のコンタクトは、
前記コンタクトセンターシステムにおける待ち行列の先頭におけるコンタクト、
最長待ちコンタクト、
最優先コンタクト、および
ランダムに選択されたコンタクト
のうちのいずれでもなく、
前記第１のコンタクトと前記第１のエージェントとの間の順位付けにおける第１の絶対差は、前記第１のコンタクトと前記複数のエージェントの各々との間の順位付けにおける絶対差のうち、順位付けにおける最小の絶対差であり、前記少なくとも１つのコンピュータプロセッサが、前記対角線方策に従って選択されるすべてのコンタクト−エージェントペアリングの集約される利益が、ＦＩＦＯ方策およびＰＢＲ方策に従って選択されるすべてのコンタクト−エージェントペアリングの対応する集約される利益を超えるように、潜在的な後続のコンタクト−エージェントペアリングを考慮することによって、前記対角線方策に従って、コンタクトのスコアとエージェントのスコアとの間に最小の絶対差を伴うコンタクト−エージェントペアリングを選択する、システム。
【請求項８】
前記少なくとも１つのコンピュータプロセッサは、
前記複数のエージェントのうちの前記第１のエージェントを順位付けることと、
第１のペアにおける前記第１のコンタクトと前記第１のエージェントとの間の順位付けにおける第１の差を、第２のペアにおける前記複数のコンタクトのうちの第２のコンタクトと前記第１のエージェントとの間の順位付けにおける第２の差と比較することと
を行うようにさらに構成されている、請求項７に記載のシステム。
【請求項９】
前記少なくとも１つのコンピュータプロセッサは、
前記複数のエージェントのうちの前記第１のエージェントを順位付けることと、
前記複数のコンタクトおよび前記第１のエージェントの前記順位付けに対して対角線方策を適用することと
を行うようにさらに構成されている、請求項７に記載のシステム。
【請求項１０】
前記第１のコンタクトおよび前記第１のエージェントの第１のペアについて予期されるその時点の結果は、前記複数のコンタクトのうちの第２のコンタクトおよび前記第１のエージェントの第２のペアについて予期されるその時点の結果よりも悪い、請求項７に記載のシステム。
【請求項１１】
前記第１のコンタクトよりも上位に順位付けられている前記複数のコンタクトのうちのコンタクトは、後のエージェントへの割り当てのために利用可能なままである、請求項７に記載のシステム。
【請求項１２】
前記少なくとも１つのコンピュータプロセッサは、前記対角線方策を使用してバランスのとれたコンタクト利用を標的とするようにさらに構成されている、請求項７に記載のシステム。
【請求項１３】
コンタクトセンターシステムにおけるペアリングのための製造品であって、前記製造品は、
非一過性のコンピュータプロセッサ読み取り可能な媒体と、
前記媒体上に記憶されている命令と
を備え、
前記命令は、前記コンタクトセンターシステムに通信可能に結合されかつ前記コンタクトセンターシステムにおいて動作するように構成される少なくとも１つのコンピュータプロセッサによって前記媒体から読み取り可能であるように構成され、それによって、
前記コンタクトセンターシステムにおいて、複数のコンタクトに対応する複数のコンタクトタイプについての情報に基づいたコンピュータプロセッサ生成のモデルに従って、第１のスキルについてのスキル待ち行列内の前記複数のコンタクトを順位付けることであって、前記複数のコンタクトの各々は、前記コンタクトセンターシステムにおける前記第１のスキルを有する複数のエージェントのうちの１つへの接続を待っている、ことと、
前記コンピュータプロセッサ生成のモデルに従って前記複数のエージェントを順位付けることであって、前記複数のエージェントは、第１のエージェントを含む、ことと、
前記コンタクトおよびエージェントの順位付けをパーセンタイル化することであって、前記コンタクトの順位付けは、パーセンタイル範囲として表現され、前記エージェントの順位付けは、パーセンタイル範囲として表現される、ことと、
対角線方策に従って、前記順位付けおよび前記対角線方策に起因する前記コンタクトセンターシステムの実績を最適化するように、前記コンタクトセンターシステムにおける前記第１のスキルを有する前記複数のエージェントのうちの前記第１のエージェントへの接続のために前記複数のコンタクトのうちの第１のコンタクトを選択することであって、前記対角線方策は、適用されると、前記順位付けられたコンタクトの各パーセンタイル範囲を前記順位付けられたエージェントの対応するパーセンタイル範囲と等しくなるようにする方策である、ことと、
前記コンタクトセンターシステムにおける前記第１のエージェントへの接続のための前記第１のコンタクトの選択を出力することと、
前記コンタクトセンターシステムのスイッチモジュールにおいて、前記出力された選択に従って、前記第１のコンタクトの通信機器と、前記第１のエージェントの通信機器との間の通信チャネルを確立することと
を行うように前記少なくとも１つのコンピュータプロセッサを動作させ、前記対角線方策を使用して選択される前記第１のコンタクトは、
前記コンタクトセンターシステムにおける待ち行列の先頭におけるコンタクト、
最長待ちコンタクト、
最優先コンタクト、および
ランダムに選択されたコンタクト
のうちのいずれでもなく、
前記第１のコンタクトと前記第１のエージェントとの間の順位付けにおける第１の絶対差は、前記第１のコンタクトと前記複数のエージェントの各々との間の順位付けにおける絶対差のうち、順位付けにおける最小の絶対差であり、前記少なくとも１つのコンピュータプロセッサが、前記対角線方策に従って選択されるすべてのコンタクト−エージェントペアリングの集約される利益が、ＦＩＦＯ方策およびＰＢＲ方策に従って選択されるすべてのコンタクト−エージェントペアリングの対応する集約される利益を超えるように、潜在的な後続のコンタクト−エージェントペアリングを考慮することによって、前記対角線方策に従って、コンタクトのスコアとエージェントのスコアとの間に最小の絶対差を伴うコンタクト−エージェントペアリングを選択する、製造品。
【請求項１４】
前記少なくとも１つのコンピュータプロセッサは、
前記複数のエージェントのうちの前記第１のエージェントを順位付けることと、
第１のペアにおける前記第１のコンタクトと前記第１のエージェントとの間の順位付けにおける第１の差を、第２のペアにおける前記複数のコンタクトのうちの第２のコンタクトと前記第１のエージェントとの間の順位付けにおける第２の差と比較することと
を行うようにさらに動作させられる、請求項１３に記載の製造品。
【請求項１５】
前記少なくとも１つのコンピュータプロセッサは、
前記複数のエージェントのうちの前記第１のエージェントを順位付けることと、
前記複数のコンタクトおよび前記第１のエージェントの前記順位付けに対して対角線方策を適用することと
を行うようにさらに動作させられる、請求項１３に記載の製造品。
【請求項１６】
前記第１のコンタクトおよび前記第１のエージェントの第１のペアについて予期されるその時点の結果は、前記複数のコンタクトのうちの第２のコンタクトおよび前記第１のエージェントの第２のペアについて予期されるその時点の結果よりも悪い、請求項１３に記載の製造品。
【請求項１７】
前記第１のコンタクトよりも上位に順位付けられている前記複数のコンタクトのうちのコンタクトは、後のエージェントへの割り当てのために利用可能なままである、請求項１３に記載の製造品。
【発明の詳細な説明】
【技術分野】
【０００１】
（関連出願の引用）
本願は、米国特許出願第１４／８７１，６５８号（２０１５年９月３０日出願）の利益および優先権を主張し、上記出願は、米国特許出願第１２／０２１，２５１号（２００８年１月２８日出願）の一部継続出願であり、米国特許出願第１４／５３０，０５８号（２０１４年１０月３１日出願）の一部継続出願であり、上記出願は、米国特許出願第１３／８４３，７２４号（２０１３年３月１５日出願、現在米国特許第８，８７９，７１５，号（２０１４年１１月４日発行））の継続であり、上記出願は、米国仮特許出願第６１／６１５，７８８号（２０１２年３月２６日出願）、米国仮特許出願第６１／６１５，７７９号（２０１２年３月２６日出願）および米国仮特許出願第６１／６１５，７７２号（２０１２年３月２６日出願）に対する優先権を主張し、上記出願の各々は、その全体が記載されているかのように本明細書に参照により引用される。
【０００２】
（開示の分野）
本開示は、概して、コンタクトセンターに関し、より具体的には、コンタクトセンターシステムにおける行動ペアリングのための技法に関する。
【背景技術】
【０００３】
典型的なコンタクトセンターは、コンタクトセンターに着信するコンタクトを、それらのコンタクトを処理するために利用可能なエージェントにアルゴリズム的に割り当てる。ある時は、コンタクトセンターは、利用可能であり、インバウンドまたはアウトバウンドコンタクト（例えば、通話、インターネットチャットセッション、電子メール）への割り当てを待つエージェントを有し得る。またある時は、コンタクトセンターは、エージェントが割り当てのために利用可能になることを１つ以上の待ち行列の中で待つコンタクトを有し得る。
【０００４】
いくつかの典型的なコンタクトセンターでは、コンタクトは、着信時間に基づいて順序付けられたエージェントに割り当てられ、エージェントは、それらのエージェントが利用可能になったとき、着信時間に基づいて順序付けられたコンタクトを受信する。この方策は、「先入れ先出し」、「ＦＩＦＯ」、または「ラウンドロビン」方策と称され得る。いくつかのコンタクトセンターでは、ＦＩＦＯ割り当て方策を各スキルグループまたは待ち行列内に適用することに先立って、コンタクトまたはエージェントは、そのような異なる「スキルグループ」または「待ち行列」に割り当てられる。これらの「スキル待ち行列」は、ベースラインＦＩＦＯ順序内の個々のコンタクトまたはエージェントに優先順位を付けるための方策も組み込み得る。例えば、優先順位の高いコンタクトは、より早い時間に着信した他のコンタクトより前の待ち行列位置を与えられ得、高い実績のエージェントは、自身の次の呼出をより長く可能ないる他のエージェントよりも前に順序付けられ得る。発信者の１つ以上の待ち行列または利用可能なエージェントの１つ以上の順序を形成することにおけるそのような変形例にかかわらず、コンタクトセンターは、典型的には、ＦＩＦＯを待ち行列または他の順序付けに適用する。そのようなＦＩＦＯ方策が確立されると、エージェントへのコンタクトの割り当ては、自動的であり、コンタクトセンターは、順序における最初のコンタクトを次の利用可能なエージェントに割り当てるか、または順序における最初のエージェントを次に着信するコンタクトに割り当てる。コンタクトセンター産業では、スキル待ち行列間のコンタクトおよびエージェント分配、スキル待ち行列内の優先順位付けおよび順序付け、および、その後のエージェントへのコンタクトのＦＩＦＯ割り当てのプロセスは、典型的には、「自動呼分配」（「ＡＣＤ」）と称されるシステムによって管理される。
【０００５】
いくつかのコンタクトセンターは、利用可能なエージェントまたは時としてコンタクトの待ち行列の順序付けに「実績ベースルーティング」または「ＰＢＲ」アプローチを使用し得る。例えば、コンタクトが複数の利用可能なエージェントを有するコンタクトセンターに着信すると、そのコンタクトへの割り当てのために利用可能なエージェントの順序付けは、最高実績の利用可能なエージェント（例えば、最高売上変換率、最高顧客満足度スコア、最短平均処理時間、特定のコンタクトプロフィールに対して最高実績のエージェント、最高顧客維持率、最低顧客維持コスト、最高初回呼出解決率を伴う利用可能なエージェント）を先頭とするであろう。
【０００６】
ＰＢＲ順序付け方策は、各コンタクト−エージェント対話の予期される結果を最大化することを試みるが、典型的には、コンタクトセンターにおけるエージェントを均一に利用することを考慮せずに行われる。その結果、より実績の高いエージェントは、著しくより多いコンタクトを受信し、過労を感じ得る一方、より実績の低いエージェントは、より少ないコンタクトを受信し、より長くアイドル状態になり、潜在的に、自身の訓練および向上のための機会を失うと同時に、潜在的に、自身の報酬を低減させ得る。
【０００７】
前述の観点から、エージェントの利用をバランスさせながら、ＦＩＦＯ方策がもたらすものを超えてコンタクトセンター実績を向上させることを試みるシステムの必要性があることを理解されたい。
【発明の概要】
【課題を解決するための手段】
【０００８】
コンタクトセンターシステムにおける行動ペアリングのための技法が、開示される。一特定の実施形態では、技法は、少なくとも１つのプロセッサによって、１つ以上のコンタクトを順序付けることと、１人以上のエージェントを順序付けることと、第１のペアにおける第１のコンタクトと第１のエージェントと間の順序付けにおける第１の差を、第２のペアにおける第２のコンタクトと第２のエージェントとの間の順序付けにおける第２の差と比較することと、少なくとも１つのプロセッサによって、比較することに基づいて、接続のために第１のペアまたは第２のペアを選択することとを含むコンタクトセンターにおけるペアリングのための方法として実現され得、第１のコンタクトおよび第２のコンタクトが異なり得るか、または第１のエージェントおよび第２のエージェントが異なり得る。
【０００９】
本特定の実施形態の他の側面によると、比較することに基づいて、第１のペアまたは第２のペアを選択することは、少なくとも１つのプロセッサによって、対角線方策を順序付けに適用することをさらに含み得る。
【００１０】
本特定の実施形態の他の側面によると、１つ以上のコンタクトの順序付けまたは１人以上のエージェントの順序付けは、パーセンタイルとして表され得る。
【００１１】
本特定の実施形態の他の側面によると、１つ以上のコンタクトの順序付けまたは１人以上のエージェントの順序付けは、パーセンタイル範囲として表され得る。
【００１２】
本特定の実施形態の他の側面によると、１つ以上のコンタクトの各々または１人以上のエージェントの各々は、各コンタクトまたは各エージェントのそれぞれのパーセンタイル範囲内のパーセンタイルを割り当てられ得る。
【００１３】
本特定の実施形態の他の側面によると、割り当てられるパーセンタイルは、パーセンタイル範囲の中間点であり得る。
【００１４】
本特定の実施形態の他の側面によると、割り当てられるパーセンタイルは、パーセンタイル範囲のランダムパーセンタイルであり得る。
【００１５】
本特定の実施形態の他の側面によると、方法は、少なくとも１つのプロセッサによって、各コンタクトタイプのコンタクトが割り当てのために利用可能になる頻度に比例する、第１および第２の各コンタクトのコンタクトタイプのための帯域幅を決定することをさらに含み得る。
【００１６】
本特定の実施形態の他の側面によると、方法はさらに、少なくとも１つのプロセッサによって、バランスのとれたエージェント利用を標的とすることを含み得る。
【００１７】
本特定の実施形態の他の側面によると、バランスのとれたエージェント利用を標的とすることは、少なくとも１つのプロセッサによって、１人以上のエージェントの各々のため比例した帯域幅を決定することをさらに含み得る。
【００１８】
本特定の実施形態の他の側面によると、選択されるペアの選択されるエージェントは、公平性メトリックにおいて遅滞が生じているエージェント、実績メトリックにおいて最上位と評価されるエージェント、特定のコンタクトタイプに対する実績メトリックにおいて最上位と評価されるエージェント、選択されるペアのコンタクトに以前に割り当てられたエージェント、順次に標識化されたエージェント、またはランダムに選択されたエージェントのいずれでもないこともある。
【００１９】
本特定の実施形態の他の側面によると、選択されるペアリングの選択されるコンタクトは、コンタクトセンターにおける待ち行列の先頭におけるコンタクト、最長待ちコンタクト、最優先コンタクト、またはランダムに選択されたコンタクトのいずれでもないこともある。
【００２０】
本特定の実施形態の他の側面によると、第１のペアおよび第２のペアのうちの選択されるものは、第１のペアおよび第２のペアのうちの他のものよりも悪い予期されるその時点の結果を備え得る。
【００２１】
本特定の実施形態の他の側面によると、より上位に順序付けられたエージェントは、同様により上位に順序付けられたコンタクトへの後の割り当てのために利用可能なままであり得るか、またはより上位に順序付けられたコンタクトは、同様により上位に順序付けられたエージェントへの後の割り当てのために利用可能なままであり得る。
【００２２】
別の特定の実施形態では、技法は、少なくとも１つのプロセッサを備えている、コンタクトセンターシステムにおける行動ペアリングのためのシステムとして実現され得、少なくとも１つのプロセッサは、上で説明される方法を実施するように構成される。
【００２３】
別の特定の実施形態では、技法は、少なくとも１つのプロセッサを備えている、コンタクトセンターシステムにおけるペアリングのためのシステムとして実現され得、少なくとも１つのプロセッサは、上で説明される方法を実施するように構成され得る。
【００２４】
別の特定の実施形態では、技法は、非一過性のプロセッサ読み取り可能な媒体と、媒体上に記憶されている命令とを備えている、コンタクトセンターシステムにおけるペアリングのための製造品として実現され得、命令は、少なくとも１つのプロセッサによって媒体から読み取り可能であるように構成され得、それによって、少なくとも１つのプロセッサに上で説明される方法を実施するように動作させ得る。
【００２５】
本開示は、ここで、付随の図面に示されるようなその特定の実施形態を参照してより詳細に説明される。本開示は、特定の実施形態を参照して以下に説明されるが、本開示は、それに限定されないことを理解されたい。本明細書の教示を利用できる当業者は、追加の実装、修正、および実施形態、ならびに他の使用分野を認識し、これらは、本明細書に説明されるように本開示の範囲内であり、それらに対して、本開示は、有意に有用であり得る。
本発明は、例えば、以下を提供する。
（項目１）
コンタクトセンターにおけるペアリングのための方法であって、
１つ以上のコンタクトを順序付けることと、
１人以上のエージェントを順序付けることと、
少なくとも１つのプロセッサによって、第１のペアにおける第１のコンタクトと第１のエージェントと間の順序付けにおける第１の差を、第２のペアにおける第２のコンタクトと第２のエージェントとの間の順序付けにおける第２の差と比較することと、
前記少なくとも１つのプロセッサによって、前記比較することに基づいて、接続のために前記第１のペアまたは前記第２のペアを選択することと
を含み、
前記第１のコンタクトと前記第２のコンタクトとが異なるか、または前記第１のエージェントと前記第２のエージェントとが異なり、
より上位に順序付けられたエージェントまたはより上位に順序付けられたコンタクトは、後の割り当てのために利用可能なままである、方法。
（項目２）
前記比較することに基づいて、前記第１のペアまたは前記第２のペアを選択することは、前記少なくとも１つのプロセッサによって、対角線方策を前記順序付けに適用することをさらに含む、項目１に記載の方法。
（項目３）
前記１つ以上のコンタクトの順序付けまたは前記１人以上のエージェントの順序付けは、パーセンタイルとして表されることができる、項目１に記載の方法。
（項目４）
前記１つ以上のコンタクトの順序付けまたは前記１人以上のエージェントの順序付けは、パーセンタイル範囲として表されることができる、項目１に記載の方法。
（項目５）
前記１つ以上のコンタクトの各々または前記１人以上のエージェントの各々は、各コンタクトまたは各エージェントのそれぞれのパーセンタイル範囲内のパーセンタイルを割り当てられる、項目４に記載の方法。
（項目６）
割り当てられるパーセンタイルは、パーセンタイル範囲の中間点である、項目５に記載の方法。
（項目７）
割り当てられるパーセンタイルは、パーセンタイル範囲のランダムパーセンタイルである、項目５に記載の方法。
（項目８）
前記少なくとも１つのプロセッサによって、前記第１および第２の各コンタクトのコンタクトタイプのための帯域幅を決定することをさらに含み、前記帯域幅は、前記各コンタクトタイプのコンタクトが割り当てのために利用可能になる頻度に比例する、項目１に記載の方法。
（項目９）
前記少なくとも１つのプロセッサによって、バランスのとれたエージェント利用を標的とすることをさらに含む、項目１に記載の方法。
（項目１０）
前記バランスのとれたエージェント利用を標的とすることは、前記少なくとも１つのプロセッサによって、前記１人以上のエージェントの各々のために比例した帯域幅を決定することをさらに含む、項目９に記載の方法。
（項目１１）
前記選択されるペアの選択されるエージェントは、
公平性メトリックにおいて遅滞が生じているエージェント、
実績メトリックにおいて最上位と評価されるエージェント、
特定のコンタクトタイプに対する実績メトリックにおいて最上位と評価されるエージェント、
前記選択されるペアのコンタクトに以前に割り当てられたエージェント、
順次に標識化されたエージェント、または
ランダムに選択されたエージェント、
のうちのいずれでもない、項目１に記載の方法。
（項目１２）
前記選択されるペアリングの選択されるコンタクトは、
前記コンタクトセンターにおける待ち行列の先頭におけるコンタクト、
最長待ちコンタクト、
最優先コンタクト、または
ランダムに選択されたコンタクト、
のうちのいずれでもない、項目１に記載の方法。
（項目１３）
前記第１のペアおよび前記第２のペアのうちの選択されるものは、前記第１のペアおよび前記第２のペアのうちの他のものよりも悪い予期されるその時点の結果を備えている、項目１に記載の方法。
（項目１４）
前記第１のペアおよび前記第２のペアのうちの選択されるものは、前記第１のペアおよび前記第２のペアのうちの他のものよりも順序付けにおいて小さい絶対差を備えている、項目１に記載の方法。
（項目１５）
コンタクトセンターシステムにおけるペアリングのためのシステムであって、前記システムは、少なくとも１つのプロセッサを備え、
前記少なくとも１つのプロセッサは、
１つ以上のコンタクトを順序付けることと、
１人以上のエージェントを順序付けることと、
第１のペアにおける第１のコンタクトと第１のエージェントと間の順序付けにおける第１の差を、第２のペアにおける第２のコンタクトと第２のエージェントとの間の順序付けにおける第２の差と比較することと、
前記比較に基づいて、接続のために前記第１のペアまたは前記第２のペアを選択することと
を行うように構成され、
前記第１のコンタクトと前記第２のコンタクトとが異なるか、または前記第１のエージェントと前記第２のエージェントとが異なり、
より上位に順序付けられたエージェントまたはより上位に順序付けられたコンタクトは、後の割り当てのために利用可能なままである、システム。
（項目１６）
前記第１のペアおよび前記第２のペアのうちの選択されるものは、前記第１のペアおよび前記第２のペアのうちの他のものよりも悪い予期されるその時点の結果を備えている、項目１５に記載のシステム。
（項目１７）
前記第１のペアおよび前記第２のペアのうちの選択されるものは、前記第１のペアおよび前記第２のペアのうちの他のものよりも順序付けにおいて小さい絶対差を備えている、項目１５に記載のシステム。
（項目１８）
コンタクトセンターシステムにおけるペアリングのための製造品であって、前記製造品は、
非一過性のプロセッサ読み取り可能な媒体と、
前記媒体上に記憶されている命令と
を備え、
前記命令は、少なくとも１つのプロセッサによって前記媒体から読み取り可能であるように構成され、それによって、
１つ以上のコンタクトを順序付けることと、
１人以上のエージェントを順序付けることと、
第１のペアにおける第１のコンタクトと第１のエージェントと間の順序付けにおける第１の差を、第２のペアにおける第２のコンタクトと第２のエージェントとの間の順序付けにおける第２の差と比較することと、
前記比較に基づいて、接続のために前記第１のペアまたは前記第２のペアを選択することと
を行うように前記少なくとも１つのプロセッサに動作させ、
前記第１のコンタクトと前記第２のコンタクトとが異なるか、または前記第１のエージェントと前記第２のエージェントとが異なり、
より上位に順序付けられたエージェントまたはより上位に順序付けられたコンタクトは、後の割り当てのために利用可能なままである、製造品。
（項目１９）
前記第１のペアおよび前記第２のペアのうちの選択されるものは、前記第１のペアおよび前記第２のペアのうちの他のものよりも悪い予期されるその時点の結果を備えている、項目１８に記載の製造品。
（項目２０）
前記第１のペアおよび前記第２のペアのうちの選択されるものは、前記第１のペアおよび前記第２のペアのうちの他のものよりも順序付けにおいて小さい絶対差を備えている、項目１８に記載の製造品。
【図面の簡単な説明】
【００２６】
本開示のより完全な理解を促進するために、ここで、同様の要素が同様の番号を用いて参照される、付随の図面を参照する。これらの図面は、本開示の限定として解釈されるべきではなく、例証にすぎないことが意図される。
【００２７】
【図１】図１は、本開示の実施形態による、待ち行列の概略表現を示す。
【図２】図２は、本開示の実施形態による、待ち行列の概略表現を示す。
【図３】図３は、本開示の実施形態による、待ち行列の概略表現を示す。
【図４】図４は、本開示の実施形態による、待ち行列の概略表現を示す。
【図５】図５は、本開示の実施形態による、待ち行列の概略表現を示す。
【図６】図６は、本開示の実施形態による、行動ペアリング方法のフロー図を示す。
【図７】図７は、本開示の実施形態による、コンタクトセンターシステムのブロック図を示す。
【発明を実施するための形態】
【００２８】
典型的なコンタクトセンターは、コンタクトセンターに着信するコンタクトを、それらのコンタクトを処理するために利用可能なエージェントにアルゴリズム的に割り当てる。ある時は、コンタクトセンターは、「Ｌ１状態」にあり、利用可能であり、インバウンドまたはアウトバウンドコンタクト（例えば、通話、インターネットチャットセッション、電子メール）への割り当てを待つエージェントを有し得る。またある時は、コンタクトセンターは、「Ｌ２状態」にあり、コンタクトに、エージェントが割り当てのために利用可能になることを１つ以上の待ち行列において待たせ得る。そのようなＬ２待ち行列は、インバウンド、アウトバウンド、または仮想待ち行列であり得る。コンタクトセンターシステムは、Ｌ１およびＬ２状態の両方においてコンタクトをエージェントに割り当てるための種々の方策を実装する。
【００２９】
本開示は、概して、伝統的に「自動呼分配」（「ＡＣＤ」）システムと称される、コンタクトセンターシステムに関する。典型的には、そのようなＡＣＤプロセスは、コンタクトセンター内のスキル待ち行列間でコンタクトおよびエージェントを割り当てる役割を果たす、初期「スキルベースルーチング」（「ＳＢＲ」）プロセスに続く。そのようなスキル待ち行列は、言語能力、顧客ニーズ、または特定のタスクの組におけるエージェント熟練度に基づいてコンタクトおよびエージェントを区別し得る。
【００３０】
待ち行列内の最も一般的な伝統的割り当て方法は、「先入れ先出し」または「ＦＩＦＯ」割り当てであり、最長待ちコンタクトが、最長待ちエージェントに割り当てられる。いくつかのコンタクトセンターは、「実績ベースルーティング」（「ＰＢＲ」）を実装し、最長待ちコンタクトが、最高実績の利用可能なエージェントに割り当てられる。両方のそのような割り当て方法の変形例が、一般的に、存在する。例えば、ＦＩＦＯは、最長待ちエージェントではなく、最も利用されていない利用可能なエージェントを選択し得る。より一般的には、ＦＩＦＯは、特定のメトリックまたは複数のメトリックにおいて最も遅滞が生じているエージェントを選択し得る。ＦＩＦＯはまた、より優先順位の高いコンタクトタイプが、より優先順位の低いコンタクトタイプの前の待ち行列に位置付けられ得るようにコンタクトの待ち行列を順序付け得る。同様に、ＰＢＲは、エージェント実績ランキングが割り当て保留中のコンタクトのタイプに応じて改変され得るように修正され得る（例えば、Ｂａｌａ他、米国特許第７，７９８，８７６号）。ＰＢＲはまた、同僚と比較した最大または最小エージェント利用の限界を設定することによって、エージェント利用の極端な不均衡を回避するように修正され得る。
【００３１】
ＦＩＦＯの変形例は、典型的には、それらが経時的にエージェントへのコンタクトの割り当てをバランスさせるように設計されているので、「公平性」を標的とする。ＰＢＲは、エージェントへのコンタクトの割り当てが意図的に歪められた異なるアプローチを採用し、より実績の高いエージェントの利用を増加させ、より実績の低いエージェントの利用を低減させる。ＰＢＲは、過度に利用されたエージェントにおける疲労と利用不足のエージェントにおける不適正な訓練機会および報酬とからもたらされる経時的な士気および生産性への潜在的悪影響にもかかわらず、そのように行い得る。
【００３２】
他の折衷的な割り当て方策が、一般的ではないが、まれに実践される。例えば、コンタクトは、着信時間、エージェント実績、または他の変数に関係なく、エージェントにランダムに割り当てられ得る。代替として、コンタクトセンターは、それらが直近で先に対話をしたエージェントにコンタクトを割り当てるようにし得る。加えて、Ｌ１シナリオにおけるエージェントは、「標識化方策」に基づいて順次に選択され得、エージェント割り当ての反復アルゴリズム的順序付けが、事前定義される（「エージェント１」、「エージェント２」、「エージェント３」、「エージェント１」、「エージェント２」、「エージェント３」、「エージェント１」等）。
【００３３】
特に、本開示は、エージェントにコンタクトを割り当てるための伝統的割り当て方法を改善する最適化された方策に言及する。本開示は、そのような方策を「行動ペアリング」または「ＢＰ」方策と称する。行動ペアリングは、待ち行列（例えば、スキル待ち行列）内のエージェントのバランスのとれた利用を標的とする一方、同時に、ＦＩＦＯまたはＰＢＲ方法が実践において達成するであろうものを潜在的に超えて全体的コンタクトセンター実績を向上させる。これは、ＢＰがＦＩＦＯまたはＰＢＲ方法と同一のコンタクトおよび同一のエージェントに従い、ＦＩＦＯが提供するようにエージェントの利用をほぼバランスさせる一方、ＦＩＦＯまたはＰＢＲのいずれかが実践において提供するものを超えて全体的コンタクトセンター実績を向上させるので、優れた成果である。
【００３４】
ＢＰは、全ての割り当ての利益が集約されると、それらがＦＩＦＯおよびＰＢＲ方策の利益を超え得るように、潜在的な後続のエージェントおよびコンタクトペアの割り当てを考慮する方式でエージェントおよびコンタクトペアを割り当てることによって、実績を向上させる。いくつかの場合では、ＢＰは、ＦＩＦＯまたはＰＢＲが示すであろうものとは逆であり得るその時点のコンタクトおよびエージェントペアリングをもたらす。例えば、簡単な場合、ＢＰは、最短待ちコンタクトまたは最低実績の利用可能なエージェントを選択し得る。ＢＰは、「後のもの」を尊重し、そのような決定が経時的により良好なコンタクトセンター実績の確率を高める場合、システムは、本質的に、その一時点におい最高実績選択であり得るものを見合わせる方式でコンタクトをエージェントに割り当てる。
【００３５】
図１は、ＢＰがＦＩＦＯおよびＰＢＲ方策を改善する機構を例証する。この例は、簡略化された仮想の場合（待ち行列１００）に対処し、２つのタイプのコンタクトが、コンタクトセンターが売上を最大化しようとしている環境において、２人のエージェントのうちのいずれかに割り当てられ得る。２つの均等に分配されたコンタクトタイプは、「６０％コンタクト」および「２０％コンタクト」であり、前者は、購入する可能性がより高い。２人のエージェントは、「５０％エージェント」および「３０％エージェント」であり、前者は、売り上げる可能性がより高い。この例はさらに、コンタクトとエージェントとの間の４つの可能な対話が、結果において掛け算であると仮定し、それによって、６０％コンタクトが５０％エージェントに割り当てられると、売上の全体的確率は、３０％である。故に、この例における４つの可能な結果は、６％、１０％、１８％、および３０％である。
【００３６】
ＦＩＦＯ方策１１０において、全ての４つの可能な結果は、同じ可能性である。例えば、６０％コンタクトが着信し、３０％エージェントおよび５０％エージェントの両方が利用可能である場合、いずれかのエージェントが、例えば、どちらのエージェントがより長く待っていたか、またはより少なく利用されたかに基づいて、等しい確率で選択され得る。同様に、３０％エージェントが利用可能であり、６０％コンタクトおよび２０％コンタクトの両方が待ち行列１００にある場合、いずれかのコンタクトが、例えば、どちらのコンタクトがより長く待っていたか（例えば、より早い着信時間）に基づいて、等しい確率および等しい優先順位で選択され得る。したがって、ＦＩＦＯ方策１００では、待ち行列１００の全体的な予期される売上高は、（６％＋１０％＋１８％＋３０％）／４＝１６％であろう。
【００３７】
ＰＢＲ方策１２０では、５０％エージェントは、５０％エージェントが利用可能になる度に優先的にコンタクトを割り当てられる。したがって、ＰＢＲ方策１２０は、５０％エージェントがコンタクトの着信時に常に利用可能である場合では、その最高の全体的な予期される売上高を達成するであろう。このピーク期待値は、（１０％＋３０％）／２＝２０％である。しかしながら、このピーク期待値は、実践では達成される可能性が低い。例えば、コンタクトは、５０％エージェントが従事し、３０％エージェントが利用可能である間に着信し得る。この事例では、ＰＢＲ方策１２０は、コンタクトを３０％エージェントに割り当てるであろう。したがって、実践におけるＰＢＲ実績は、非優先割り当てが起こる事例の割合に比例して、ＦＩＦＯ方策１１０の実績に近いであろう。多くの場合では、複数のコンタクトが、待ち行列１００において待ち得（Ｌ２状態）、５０％エージェントを優先的に選択する機会がこともある。待ち行列１００が持続的にＬ２状態にある場合、ＰＢＲ方策１２０は、ＦＩＦＯ方策１１０と同じ割合で実施することが予期されるであろう。実際には、半分の時間に待ち行列１００がＬ２状態にあり、さらに、５０％エージェントが優先的に選択されているので、４分の１の時間に５０％エージェントが利用不可能である場合、ＰＢＲ方策１２０は、依然として、ＦＩＦＯ方策１１０に優る予期される改善を全く提供しないであろう。待ち行列１００において、待ち行列１００が長期間にわたってＬ１状態にあり、そのＬ１状態内に、５０％エージェントと３０％エージェントとの間で選択肢が存在するときのみ、ＰＢＲ方策１２０は、ＦＩＦＯ方策１１０に優る有意な実績の利益を提供する。しかしながら、この場合では、待ち行列１００は、潜在的にわずかな利益のために相当なアイドル状態の労働者を要求するであろうため、「人員過剰」になり得る。故に、実践では、ＰＢＲは、実質的にＦＩＦＯに優って実績を向上させることにおいて効果的ではない場合がある。
【００３８】
ＢＰ方策１３０では、２０％コンタクトが、３０％エージェントに優先的に割り当てられ、６０％コンタクトが、５０％エージェントに優先的に割り当てられる。したがって、ＢＰ方策１３０下の待ち行列１００の実績のピーク期待値は、（６％＋３０％）／２＝１８％である。重要なこととして、このピーク期待値は、Ｌ２状態のＰＢＲ方策１２０のように損なわれない。仮説上、持続的なＬ２状態のコンタクトの恣意的に長い待ち行列が存在する場合、３０％エージェントが利用可能になる度に、割り当て保留中の６０％コンタクトが存在し、５０％エージェントが利用可能になる度に、割り当て保留中の２０％コンタクトが存在するであろうため、ＢＰ方策１３０は、実際に、予期されるピーク実績において動作するであろう。
【００３９】
２人のエージェントのみが待ち行列１００において最大限に利用可能であるにもかかわらず、ＢＰ方策１３０は、依然として、Ｌ１状態においてＰＢＲ方策１２０よりも優れ得る。例えば、５０％エージェントが半分の時間占有される場合、ＰＢＲ方策１２０が他の半分の時間３０％エージェントを選択せざるを得ないであろうため、ＰＢＲ方策１２０は、利益を全くもたらさないであろう。しかしながら、ＢＰ方策１３０下のＬ１状態では、２０％コンタクトの利用可能性は、その時点のペアリングにおいてより実績の低い３０％エージェントの使用をもたらし、それによって、後続の割り当てのためにより実績の高い５０％エージェントを保持するであろう。その後、次の反復では、６０％コンタクトが割り当てのために利用可能になった場合、保持された５０％エージェントの割り当ては、ＢＰ方策１３０の１８％の予期されるピーク全体的実績をもたらすであろう。これは、およそ半分の時間に起こるはずであり、ＦＩＦＯおよびＰＢＲ割り当て方策の両方に優る有意な改善をもたらす。ペアリングが成されるべきとき、利用可能なエージェントは、順序付けられ得、利用可能なコンタクトも、順序付けられ得る。１つのコンタクトのみがエージェントへの割り当てのために利用可能であるＬ１状態では、コンタクトの順序付けは、自明である。同様に、１人のエージェントのみがコンタクトへの割り当てのために利用可能であるＬ２状態では、エージェントの順序付けは、自明である。
【００４０】
図１では、５０％エージェントは、６０％コンタクトとの優先ペアリングのために選択され、３０％エージェントは、２０％コンタクトとの優先ペアリングのために選択された。図１の単純な解釈は、このプロセスがあるメトリック（図１では、売上成功に寄与する確率）において最も近いエージェントにコンタクトタイプを割り当てることと同程度に単純であり得ることを示唆し得る。しかしながら、これは、非効率的なアプローチであり得る。図２はさらに、どのようにそのような単純なアプローチが非効率的であり得るかを例証することによって、ＢＰの概念を進歩させる。
【００４１】
図２では、仮想待ち行列２００が、２つのタイプのコンタクトである、購入に向けて４０％の確率で寄与する「４０％コンタクト」と、「２０％コンタクト」とを提供する。待ち行列２００はまた、２人のエージェントである、売上に向けて８０％の確率で寄与する「８０％エージェント」と、「６０％エージェント」とを有する。とりわけ、４０％コンタクトおよび２０％コンタクトは両方とも、その選定されたメトリックにおいて、８０％エージェントよりも６０％エージェントに近い。故に、単純なＢＰ方策２３０は、２０％コンタクトおよび４０％コンタクトの両方を６０％エージェントに優先的にペアリングし、より実績の高い８０％エージェントをアイドル状態のままにするであろう。これは、実際には、予期される結果が（１２％＋１６％＋２４％＋３２％）／４＝２１％のＦＩＦＯ方策２１０、または予期されるピーク結果が（１６％＋３２％）／２＝２４％のＰＢＲ方策２２０のいずれよりもかなり悪い（１２％＋２４％）／２＝１８％の予期されるピーク結果をもたらし得る。
【００４２】
図３は、図２の単純なアプローチが改善され得る方法を例証する。等しい頻度で起こる２つのタイプのコンタクト、２人のエージェント、および待ち行列２００のものと同じ売上確率を伴う４つの対応する象限が存在するので、待ち行列３００は、待ち行列２００と類似する。しかしながら、コンタクトは、もはや購入の確率に向けたその寄与に基づいて標識化されていない。代わりに、コンタクトは、その相対的寄与度に基づいて順序付けられ、次いで、より下位に順序付けられたコンタクトが０％〜５０％のパーセンタイル範囲を占め、中間点が２５％であり（「０．２５コンタクト」）、より上位に順序付けられたコンタクトが５０％〜１００％のパーセンタイル範囲を占め、中間点が７５％である（「０．７５コンタクト」）ようにパーセンタイル化されている。明確化のために、本開示は、パーセンタイル範囲を、パーセンテージの範囲または０〜１に及ぶ小数点パーセンテージと称する。いくつかの実施形態では、他のｎ数タイルまたはパーセンテージ範囲が、使用され得る。
【００４３】
同様に、エージェントは、順序付けられ、０．２５エージェントおよび０．７５エージェントにパーセンタイル化されている。コンタクトは、次いで、第１の軸（この事例では、Ｙ軸またはグリッドの行）上に最低パーセンタイル中間点から最高のものへと順番に位置付けられ、エージェントも同様に、第２の軸（この事例では、Ｘ軸またはグリッドの列）上に位置付けられる。そのような構造下では、最も近いパーセンタイル中間点を伴うエージェントとコンタクトのペアリングを割り当てる対角線方策が、ＢＰ方策、この場合ではＢＰ方策３３０を構築する改善された機構である。ＢＰ方策３３０下では、待ち行列３００の予期されるピーク実績は、ＦＩＦＯ方策３１０の予期される実績の（１２％＋１６％＋２４％＋３２％）／４＝２１％を超え、潜在的に、ＰＢＲ方策３２０の予期されるピーク実績の（１６％＋３２％）／２＝２４％を超え得る、（１２％＋３２％）／２＝２２％であろう。
【００４４】
図１および図３は、ＢＰがＦＩＦＯおよびＰＢＲ方策に優って実績を向上させ得る方法を例証するが、それらは、異なるタイプのコンタクトが等しい割合で着信すると仮定することによってそのように行う。そのような仮定は、実践では不正確であり得、図１および３の概念を３つ以上のコンタクトタイプのより一般的な環境、またはコンタクトタイプの割合が変動するより一般的な環境に拡張することは、非効率的であることが分かり得る。同様に、図１および３は、２人のコンタクトセンターエージェントのみが待ち行列に割り当てられると仮定する。しかしながら、多くのコンタクトセンターでは、待ち行列に割り当てられるエージェントの実際の数は、かなり多い。
【００４５】
図４は、いかに図３の方策が非効率的であることが分かり得、かつそのような方策を改善する方法を例証する。仮想待ち行列４００は、３つのコンタクトタイプである、０％〜４８％のパーセンタイル範囲に及ぶ「０．２４コンタクト」タイプ、４８％〜８２％のパーセンタイル範囲に及ぶ「０．６５コンタクト」タイプ、および８２％〜１００％のパーセンタイル範囲に及ぶ「０．９１コンタクト」タイプを定義する。したがって、０．２４コンタクトは、コンタクトセンターコンタクトの４８％を構成し、０．６５コンタクトは、３４％を構成し、０．９１コンタクトは、残りの１８％を表す。したがって、０．２４コンタクトは、あるメトリックに沿って最下位に順序付けられるコンタクトであると仮定され得る一方、０．９１コンタクトは、最上位に順序付けられるものと仮定され得る。
【００４６】
待ち行列４００は、３人の等しく利用可能なエージェントである、「０．１６６エージェント」、「０．５００エージェント」、および「０．８３３エージェント」を有する。０．１６６エージェントは、パーセンタイル範囲０％〜３３．３％の中間点を占め、したがって、あるメトリックに従って最下位に順序付けられるエージェントである一方、対応して、０．８３３エージェントは、パーセンタイル範囲６６．６％〜１００％の中間点を占め、したがって、最上位に順序付けられるエージェントである。エージェント０．５００は、３３．３％〜６６．６％のパーセンタイル範囲を占める、中間に順序付けられるエージェントである。
【００４７】
非効率的なＢＰ方策４１０は、パーセンタイル中間点の近さに基づいてコンタクトをエージェントと優先的にペアリングする、図３の方策を厳密に拡張するであろう。これは、０．２４コンタクトが０．１６６エージェントに優先的に割り当てられ、０．６５コンタクトが０．５００エージェントに割り当てられ、０．９１コンタクトが０．８３３エージェントに割り当てられることをもたらすであろう。そのような方策は、エージェント０．１６６を最も多く利用し、エージェント０．８３３を最も少なく利用する傾向にあるであろうため、潜在的な非効率性をもたらすであろう。これは、０．２４コンタクトが全てのコンタクトの４８％を表し、エージェント利用可能性の３３．３％のみを表すエージェント０．１６６に優先的に割り当てられるからである。同様に、０．９１コンタクトは、全てのコンタクトの１８％を表し、エージェント利用可能性の３３．３％を表すエージェント０．８３３に優先的に割り当てられ、したがって、エージェント０．８３３は、結果として潜在的に活用されない。より下位に順序付けられたエージェントを利用するそのような偏重は、非効率的なＢＰ方策４１０をもたらし、ＦＩＦＯまたはＰＢＲのものを下回り得る準最適な実績をもたらし得る。
【００４８】
図５は、本開示のいくつかの実施形態による、非効率的なＢＰ方策４１０を改善する技法を例証する。パーセンタイル範囲０％〜４８％、４８％〜８２％、および８２％〜１００％を占める３つのコンタクトタイプが存在するので、待ち行列５００は、待ち行列４００と実質的に類似する。待ち行列５００はまた、０％〜３３．３％、３３．３％〜６６．６％、および６６．６％〜１００％のパーセンタイル範囲を占める３人のエージェントを有し、それらは、それらのパーセンタイル範囲中間点を示すために、対応して、「０．１６６エージェント」、「０．５００エージェント」、および「０．８３３エージェント」と名付けられる。待ち行列４００（図４）と異なり、各コンタクトタイプは、その範囲の中間点ではなく、そのパーセンタイル範囲によって参照される。
【００４９】
効率的なＢＰ方策５１０は、対角線方策に最も近いように努力することによって、非効率的なＢＰ方策４１０を改善する。しかしながら、コンタクトおよびエージェントのパーセンタイルを精密に整合させることが可能であった例による待ち行列３００の簡略化された場合と異なり、効率的なＢＰ方策５１０は、コンタクトタイプとエージェントとの間の１対１対応の仮定を緩和し、代わりに、パーセンタイルの範囲間の対応を確立することによって、エージェントのバランスのとれた利用を標的とすることに戻る。
【００５０】
いくつかの実施形態では、各コンタクトタイプは、各コンタクトタイプのパーセンタイル範囲内のパーセンタイルを割り当てられ得る。これらのパーセンタイルは、ランダムに割り当てられ得る。このシナリオでは、最下位に順序付けられた、最も高頻度のコンタクト（０％〜４８％コンタクト）のうちの一部は、好ましくは、最下位に順序付けられた０．１６６エージェントに割り当てられ得る一方、最下位に順序付けられた最も高頻度のコンタクトのうちの他のものは、好ましくは、中間に順序付けられた０．５００エージェントに割り当てられ得る。同様に、中間に順序付けられた、中間頻度のコンタクト（４８％〜８２％コンタクト）のうちの一部は、好ましくは、中間に順序付けられた０．５００エージェントに割り当てられ得る一方、他のものは、好ましくは、最高実績の０．８３３エージェントに割り当てられ得る。
【００５１】
例えば、０％〜４８％コンタクトが着信する場合、そのコンタクトは、１０％（０．１０）のランダムパーセンタイルを受け得る。待ち行列５００におけるエージェントの全てが割り当てのために利用可能であると仮定すると、対角線方策は、好ましくは、この０％〜４８％コンタクトを０．１６６エージェントに割り当てるであろう。１０％のパーセンタイルを概念上割り当てられたコンタクトは、０％〜３３．３％のパーセンタイル範囲を占める０．１６６エージェントに一致するパーセンタイル範囲（または「帯域幅」）内に入る。
【００５２】
次に着信するコンタクトは、別の０％〜４８％コンタクトであり得る。この事例では、コンタクトは、４２％（０．４２）のランダムパーセンタイルを受け得る。再び、待ち行列５００におけるエージェントの全てが割り当てのために利用可能であると仮定すると、対角線方策は、好ましくは、この０％〜４８％コンタクトを０．５００エージェントに割り当て、０．５００エージェントは、３３．３％〜６６．６％のパーセンタイル範囲を占める。
【００５３】
効率的なＢＰ方策５１０下では、３人のエージェントの各々は、経時的に全てのコンタクトの約３分の１を受信すると予期されるので、非効率的なＢＰ方策４１０（図４）下のように、最下位に順序付けられた０．１６６エージェントは、他のエージェントと比較してもはや過剰に利用されず、最上位に順序付けられた０．８３３エージェントは、他のエージェントと比較してもはや利用不足にならない。さらに、いくつかの場合では、より上位に順序付けられた（例えば、より実績の高い）エージェントが、非効率的なＢＰ方策４１０下よりも効率的なＢＰ方策５１０下で多く利用されるので、予期されるピーク実績は、非効率的なＢＰ方策４１０のものと比較して、効率的なＢＰ方策５１０の場合、より高くなり得る。
【００５４】
図６は、本開示の実施形態による、行動ペアリング方法６００を描写する。ブロック６１０において、行動ペアリング方法４００が、開始され得る。
【００５５】
ブロック６１０において、パーセンタイル（またはｎ数タイル、分位点、パーセンタイル範囲、帯域幅、または他のタイプの「スコア」もしくはスコア範囲等）が、各利用可能なコンタクトに対して決定され得る。コンタクトが待ち行列において保留状態で待っている状況に対して、パーセンタイルは、待ち行列において保留状態で待っている各コンタクトに対して決定され得る。コンタクトが待ち行列において保留状態で待っていない状況に対して、パーセンタイルは、コンタクトセンターに着信する次のコンタクトに割り当てられ得る。パーセンタイルは、コンタクトについての情報に基づいて、コンタクトの特定のタイプまたはグループに対して定義されたパーセンタイルの範囲によって境界を付けられ得る。パーセンタイル境界または範囲は、コンタクトタイプに対する頻度分布または他のメトリックに基づき得る。パーセンタイルは、タイプのパーセンタイル範囲内でランダムに割り当てられ得る。
【００５６】
いくつかの実施形態では、パーセンタイルは、コンタクトセンターにおいて最適化されるべき特定のメトリックまたはメトリックの組み合わせに従って順序付けられ得、比較的に高いパーセンタイルを有するように決定されたコンタクトは、これらのコンタクトがコンタクトセンターにおいてより高い全体的実績に寄与する可能性がより高いので、コンタクトセンターに対して「より高い価値」のコンタクトであると考えられ得る。例えば、比較的に高いパーセンタイルのコンタクトは、比較的に高い購入可能性を有し得る。
【００５７】
いくつかの実施形態では、パーセンタイルは、コンタクトがコンタクトセンターに着信した時点でコンタクトに対して決定され得る。他の実施形態では、パーセンタイルは、コンタクトが特定のスキル待ち行列もしくはＡＣＤシステムに着信したとき、またはペアリングが為されることを要求されたとき等、後の時点でコンタクトに対して決定され得る。
【００５８】
パーセンタイルがペアリングのために各利用可能なコンタクトに対して決定された後、行動ペアリング方法６００は、ブロック６２０に進み得る。いくつかの実施形態では、ブロック６２０は、ブロック６１０に先立って、またはそれと同時に実施され得る。
【００５９】
ブロック６２０において、パーセンタイルが、各利用可能なエージェントに対して決定され得る。エージェントがアイドル状態であり、コンタクトの着信を待っている状況に対して、パーセンタイルは、各アイドル状態のエージェントに対して決定され得る。待ち行列のエージェントが全てビジーである状況に対して、パーセンタイルは、次に利用可能になるエージェントに決定され得る。パーセンタイルは、待ち行列（例えば、スキル待ち行列）に割り当てられたエージェントの全て、または特定の待ち行列に割り当てられた利用可能なエージェントのみに基づいて定義された、パーセンタイルの範囲（例えば、「帯域幅」）によって境界を付けられ得る。いくつかの実施形態では、パーセンタイルの境界または範囲は、所望されるエージェント利用（例えば、公平性、効率、または実績）に基づき得る。
【００６０】
いくつかの実施形態では、エージェントパーセンタイルは、コンタクトセンターにおいて最適化されるべき特定のメトリックまたはメトリックの組み合わせに従って順序付けられ得、比較的に高いパーセンタイルを有するように決定されたエージェントは、コンタクトセンターに対してより実績の高いエージェントであると考えられ得る。例えば、比較的に高いパーセンタイルのエージェントは、比較的に高い売上可能性を有し得る。
【００６１】
いくつかの実施形態では、エージェントのパーセンタイルは、エージェントがコンタクトセンター内で利用可能になった時点で決定され得る。他の実施形態では、パーセンタイルは、ペアリングが為されることを要求されたとき等、後の時点で決定され得る。
【００６２】
パーセンタイルが各利用可能なエージェントおよびコンタクトに対して決定された後、行動ペアリング方法６００は、ブロック６３０に進み得る。
【００６３】
ブロック６３０において、利用可能なコンタクトと利用可能なエージェントのペアが、ブロック６１０における各利用可能なコンタクトに対して決定されたパーセンタイルと、ブロック６２０における各利用可能なエージェントに対して決定されたパーセンタイルとに基づいて決定され得る。いくつかの実施形態では、ペアは、対角線方策に従って決定され得、より類似したパーセンタイル（または最も類似したパーセンタイル）を伴うコンタクトおよびエージェントが、ペアリングのために選択され得る。例えば、行動ペアリングモジュールが、コンタクトのスコアとエージェントのスコアとの間に最小の絶対差を伴うコンタクト−エージェントペアリングを選択し得る。
【００６４】
いくつかの状況では、コンタクトが着信したとき、複数のエージェントが、アイドル状態であり得る（Ｌ１状態）。ＢＰ下では、新しく利用可能なコンタクトは、他の利用可能なエージェントよりもコンタクトのスコアと類似したスコアを有する利用可能なエージェントのうちの選択されたものとペアリングされ得る。他の状況では、複数のコンタクトが、待ち行列においてエージェントが利用可能になるときを待ち得る（Ｌ２状態）。ＢＰ下では、新しく利用可能なエージェントは、待ち行列において待つ他のコンタクトよりもエージェントのパーセンタイルと類似したパーセンタイルを有する、待ち行列において待つコンタクトのうちの選択されたものとペアリングされ得る。
【００６５】
いくつかの状況では、スコアの類似性に基づいてペアリングを選択することは、最高実績のその時点のペアリングでないこともあるその時点のペアリングの選択をもたらし得、むしろ、より良好な将来のペアリングの可能性を高める。
【００６６】
ペアリングがブロック６３０において決定された後、行動ペアリング方法６００は、ブロック６４０に進み得る。ブロック６４０において、コンタクトセンターシステム内のモジュールが、コンタクト−エージェントペアのコンタクトおよびエージェントが互いに接続されるようにし得る。例えば、行動ペアリングモジュールは、ＡＣＤシステムまたは他のルーティングデバイスが、特定のコンタクトを特定のエージェントに分配し得ることを示し得る。
【００６７】
ブロック６４０においてコンタクトおよびエージェントを接続した後、行動ペアリング方法６００は、終了し得る。いくつかの実施形態では、行動ペアリング方法６００は、１つ以上の追加のペアリングを決定するために、ブロック６３０に戻り得る（図示せず）。他の実施形態では、行動ペアリング方法６００は、利用可能なコンタクトまたはエージェントに対するパーセンタイルを決定（または再決定）するために、ブロック６１０またはブロック６２０に戻り得る（図示せず）。
【００６８】
図５は、本開示の実施形態による、コンタクトセンターシステム７００のブロック図を示す。本明細書の説明は、１つ以上のモジュールを含み得るコンタクトセンターシステムをシミュレートするためのシステムならびに方法のネットワーク要素、コンピュータ、および／もしくは構成要素を説明する。本明細に使用される場合、用語「モジュール」は、コンピューティングソフトウェア、ファームウェア、ハードウェア、および／またはそれらの種々の組み合わせを指すように理解され得る。しかしながら、モジュールは、ハードウェア、ファームウェア上に実装されない、またはプロセッサ読み取り可能な記録可能記憶媒体上に記録されないソフトウェアとして解釈されるべきではない（すなわち、モジュールは、それ自体がソフトウェアではない）。モジュールは、例示的であることに留意されたい。モジュールは、種々の用途をサポートするために、組み合わせられる、統合され、分離され、および／または複製され得る。さらに、特定のモジュールにおいて実施されるように本明細書に説明される機能が、特定のモジュールにおいて実施される機能の代わりに、またはそれに加えて、１つ以上の他のモジュールにおいて、および／または１つ以上の他のデバイスによって実施され得る。さらに、モジュールは、互いにローカルまたはリモートの複数のデバイスおよび／もしくは他の構成要素を横断して実装され得る。加えて、モジュールは、１つのデバイスから移動され、別のデバイスに追加され得、および／または両方のデバイス内に含まれ得る。
【００６９】
図７に示されるように、コンタクトセンターシステムは、中央スイッチ７１０を含み得る。中央スイッチ７１０は、着信するコンタクト（例えば、発信者）を受信し得、またはダイヤラ、遠隔通信ネットワーク、もしくは他のモジュール（図示せず）を介してコンタクトへのアウトバウンド接続をサポートし得る。中央スイッチ７１０は、コンタクトルーティングハードウェアおよびソフトウェアを含み得、それらは、１つ以上のコンタクトセンター間でコンタクトをルーティングするため、またはコンタクトセンター内の１つ以上のＰＢＸ／ＡＣＤもしくは他の待ち行列もしくは切り替え構成要素にコンタクトをルーティングするために役立つ。
【００７０】
コンタクトセンターが１つしか存在しない場合、またはＰＢＸ／ＡＣＤルーティング構成要素が１つしか存在しない場合、中央スイッチ７１０は、コンタクトセンターシステム７００において必要ではないこともある。２つ以上のコンタクトセンターがコンタクトセンターシステム７００の一部である場合、各コンタクトセンターは、少なくとも１つのコンタクトセンタースイッチ（例えば、コンタクトセンタースイッチ７２０Ａおよび７２０Ｂ）を含み得る。コンタクトセンタースイッチ７２０Ａおよび７２０Ｂは、中央スイッチ７１０に通信可能に結合され得る。
【００７１】
各コンタクトセンターのための各コンタクトセンタースイッチは、複数のエージェント（またはその「集団」）に通信可能に結合され得る。各コンタクトセンタースイッチは、ある数のエージェント（または「シート」）が１度にログインするようにサポートし得る。任意の所与の時点で、ログインしたエージェントが利用可能であり、コンタクトに接続されることを待ち得るか、または、ログインしたエージェントは、別のコンタクトに接続されているか、呼についてのロギング情報等のある呼後機能を実施しているか、もしくは休憩している等のいくつかの理由のいずれかのために利用可能でないこともある。
【００７２】
図５の実施例では、中央スイッチ７１０は、それぞれ、コンタクトセンタースイッチ７２０Ａおよびコンタクトセンタースイッチ７２０Ｂを介して、２つのコンタクトセンターのうちの１つにコンタクトをルーティングする。コンタクトセンタースイッチ７２０Ａおよび７２０Ｂの各々は、各２人のエージェントとともに示される。エージェント７３０Ａおよび７３０Ｂが、コンタクトセンタースイッチ７２０Ａにログインされ得、エージェント７３０Ｃおよび７３０Ｄが、コンタクトセンタースイッチ７２０Ｂにログインされ得る。
【００７３】
コンタクトセンターシステム７００はまた、例えば、サードパーティベンダからの統合サービスに通信可能に結合され得る。図５の実施例では、行動ペアリングモジュール６００は、中央スイッチ７１０、コンタクトセンタースイッチ７２０Ａ、またはコンタクトセンタースイッチ７２０Ｂ等、コンタクトセンターシステム７００のスイッチシステムにおける１つ以上のスイッチに通信可能に結合され得る。いくつかの実施形態では、コンタクトセンターシステム７００のスイッチは、複数の行動ペアリングモジュールに通信可能に結合され得る。いくつかの実施形態では、行動ペアリングモジュール７４０は、コンタクトセンターシステムの構成要素内に組み込まれ得る（例えば、スイッチ内に、または別様にそれと統合され得る）。
【００７４】
行動ペアリングモジュール７４０は、スイッチにログインされたエージェント（例えば、エージェント７３０Ａおよび７３０Ｂ）について、および別のスイッチ（例えば、中央スイッチ７１０）を介して、またはいくつかの実施形態では、ネットワーク（例えば、インターネットまたは遠隔通信ネットワーク）（図示せず）から着信するコンタクトについての情報を、スイッチ（例えば、コンタクトセンタースイッチ７２０Ａ）から受信し得る。
【００７５】
行動ペアリングモジュール７４０は、この情報を処理し、どのコンタクトがどのエージェントとペアリング（例えば、一致、割り当て、分配、ルーティング）されるべきかを決定し得る。例えば、複数のエージェントが、利用可能であり、コンタクトへの接続を待っており（Ｌ１状態）、コンタクトが、ネットワークまたは中央スイッチを介してコンタクトセンターに着信する。上で説明されるように、行動ペアリングモジュール７４０を伴わない場合、コンタクトセンタースイッチは、典型的には、新しいコンタクトを、「公平」ＦＩＦＯ方策下では、最長時間エージェントを待っているどんな利用可能なエージェントにも、またはＰＢＲ方策下では、最高実績のエージェントであると決定されどんな利用可能なエージェントにも自動的に分配するであろう。
【００７６】
行動ペアリングモジュール７４０を伴う場合、コンタクトおよびエージェントは、ペアリングモデルまたは他の人工知能データモデルに従って、スコア（例えば、パーセンタイルまたはパーセンタイル範囲／帯域幅）を与えられ得、したがって、コンタクトは、好ましいエージェントに一致、ペアリング、または別様に接続され得る。
【００７７】
Ｌ２状態では、複数のコンタクトが、利用可能であり、エージェントへの接続を待ち、エージェントが、利用可能になる。これらのコンタクトは、ＰＢＸまたはＡＣＤデバイス（「ＰＢＸ／ＡＣＤ」）等のコンタクトセンタースイッチにおいて待ち行列に入れられ得る。行動ペアリングモジュール７４０を伴わない場合、コンタクトセンタースイッチは、典型的には、エージェント選択肢が利用可能ではない場合、新しく利用可能なエージェントを、「公平」ＦＩＦＯ方策またはＰＢＲ方策のように待ち行列において最長時間保留状態で待っているどんなコンタクトにも接続するであろう。いくつかのコンタクトセンターでは、先に説明されるように、優先順位待ち行列も、組み込まれ得る。
【００７８】
Ｌ２シナリオにおいて行動ペアリングモジュール７４０を伴う場合、上で説明されるＬ１状態のように、コンタクトおよびエージェントは、例えば、人工知能モデル等のモデルに従って、パーセンタイル（またはパーセンタイル範囲／帯域幅等）を与えられ得、したがって、利用可能になるエージェントは、好ましいコンタクトに一致、ペアリング、または別様に接続され得る。
【００７９】
この点において、上で説明されるような本開示による、コンタクトセンターシステムにおける行動ペアリングは、入力データの処理および出力データの生成をある程度伴い得ることに留意されたい。この入力データ処理および出力データ生成は、ハードウェアまたはソフトウェアにおいて実装され得る。例えば、特定の電子構成要素が、上で説明されるような本開示による、コンタクトセンターシステムにおける行動ペアリングに関連付けられる機能を実装するために、行動ペアリングモジュールまたは類似もしくは関連回路において採用され得る。代替として、命令に従って動作する１つ以上のプロセッサが、上で説明されるような本開示による、コンタクトセンターシステムにおける行動ペアリングに関連付けられる機能を実装し得る。そのような場合、そのような命令は、１つ以上の非一過性プロセッサ読み取り可能な記憶媒体（例えば、磁気ディスクまたは他の記憶媒体）上に記憶されるか、または１つ以上の搬送波において具現化される１つ以上の信号を介して１つ以上のプロセッサに伝送され得ることは、本開示の範囲内である。
【００８０】
本開示は、本明細書に説明される具体的実施形態によって範囲を限定されるべきではない。実際には、本明細書に説明されるものに加えて、本開示の他の種々の実施形態および修正が、前述の説明および付随の図面から当業者に明白であろう。したがって、そのよう他の実施形態および修正は、本開示の範囲内に入ることが意図される。さらに、本開示は、少なくとも１つの特定の目的のための少なくとも１つの特定の環境における少なくとも１つの特定の実装の文脈において本明細書に説明されたが、当業者は、その有用性が、それに限定されず、本開示が、有益なこととして、任意の数の目的のために任意の数の環境において実装され得ることを認識するであろう。故に、以下に記載される請求項は、本明細書に説明されるような本開示の完全な範囲および精神を考慮して解釈されるべきである。
【図１】
2020145677.tif 000003
【図２】
2020145677.tif 000004
【図３】
2020145677.tif 000005
【図４】
2020145677.tif 000006
【図５】
2020145677.tif 000007
【図６】
2020145677.tif 000008
【図７】
2020145677.tif 000009